(57)【要約】【課題】装飾部材を用いて装飾を施した印鑑において、より華やかな印鑑を提供すると共に印鑑を把持する際に装飾部材が邪魔とならず、使い勝手をよくすることを目的とする。又、印鑑のサイズに応じた印鑑ケースに収納可能とすることを目的とする。更に、装飾部材が強固に印材に固定されて脱落しにくくすることを目的とする。又、より華やかで、よりお洒落で、アクセサリー感覚で使用できる印鑑を提供することを目的とする。【解決手段】印材の把持部に凹部を設け、該凹部に装飾部材の少なくとも一部を埋設したことを特徴とする印鑑。【選択図】  図１
0003113893.tif 000002
【実用新案登録請求の範囲】
【請求項１】
印材の把持部に凹部を設け、該凹部に装飾部材の少なくとも一部を埋設したことを特徴とする印鑑。
【請求項２】
凹部を把持部の上端部に設けたことを特徴とする請求項１記載の印鑑。
【請求項３】
凹部を把持部の側面部に印材の周囲に渡って設け、該凹部に連状の装飾部材を設けたことを特徴とする請求項１又は２記載の印鑑。
【請求項４】
凹部を所望の模様形状に形成し、該凹部に装飾部材の少なくとも一部を埋設して、装飾部材で所望の模様を形成したことを特徴とする請求項１から３のうち何れか１項記載の印鑑。
【請求項５】
装飾部材に突起を設け、該突起を凹部に埋設したことを特徴とする請求項１から４のうち何れか１項記載の印鑑。
【請求項６】
凹部に埋め込まれる装飾部材にペンダントを揺動自在に設けたことを特徴とする請求項１から５のうち何れか１項記載の印鑑。
【請求項７】
把持部にホログラム模様を設けたことを特徴とする請求項１から６のうち何れか１項記載の印鑑。
【考案の詳細な説明】
【技術分野】
【０００１】
本考案は印鑑に関し、特に装飾部材を設けた印鑑に関する。
【背景技術】
【０００２】
従来から印材の刻印部を除く把持部の表面に宝石、ビーズ、宝石の模造品等の装飾部材を接着剤等で着設し、又は合成樹脂製の装飾部材を溶着して装飾を施した印鑑がある。
【０００３】
しかし、印材の表面に装飾部材を接着或いは溶着等して印鑑に装飾を施した場合、装飾部材の全体が印材表面から突出し、印鑑を把持する際に装飾部材が邪魔になり、使い勝手が悪くなるという問題点があった。又、このような印鑑は印鑑のサイズに応じた印鑑ケースに収納することが出来ないという問題点もあった。更に、装飾部材が印材の表面に接着或いは溶着されているために、外力に弱く、装飾部材が脱落しやすいという欠点があった。特に印鑑をより華やかにするために大きな或いは多数の装飾部材を用いることにより、これらの問題点が顕在化していた。又、より華やかで、よりお洒落で、アクセサリー感覚で使用できる印鑑が求められていた。
【考案の開示】
【考案が解決しようとする課題】
【０００４】
そこで、上記従来技術の問題点を解決し、装飾部材を用いて装飾を施した印鑑において、より華やかな印鑑を提供すると共に印鑑を把持する際に装飾部材が邪魔とならず、使い勝手をよくすることを目的とする。又、印鑑のサイズに応じた印鑑ケースに収納可能とすることを目的とする。更に、装飾部材が強固に印材に固定されて脱落しにくくすることを目的とする。又、より華やかで、よりお洒落で、アクセサリー感覚で使用できる印鑑を提供することを目的とする。
【課題を解決するための手段】
【０００５】
上記課題を解決するための手段としての本願考案は、印材の把持部に凹部を設け、該凹部に装飾部材の少なくとも一部を埋設したことを特徴とする印鑑である。
【０００６】
又、上記印鑑において、凹部を把持部の上端部に設けたことを特徴とする印鑑である。
【０００７】
又、上記印鑑において、凹部を把持部の側面部に印材の周囲に渡って設け、該凹部に連状の装飾部材を設けたことを特徴とする印鑑である。
【０００８】
又、上記印鑑において、凹部を所望の模様形状に形成し、該凹部に装飾部材の少なくとも一部を埋設して、装飾部材で所望の模様を形成したことを特徴とする印鑑である。
【０００９】
又、上記印鑑において、装飾部材に突起を設け、該突起を凹部に埋設したことを特徴とする印鑑である。
【００１０】
又、上記印鑑において、凹部に埋め込まれる装飾部材にペンダントを揺動自在に設けたことを特徴とする印鑑である。
【００１１】
又、上記印鑑において、把持部にホログラム模様を設けたことを特徴とする印鑑である。
【考案の効果】
【００１２】
以上のような本願考案によれば、装飾部材を用いて装飾を施した印鑑をより華やかとすることが出来た。又、印鑑を把持する際に装飾部材が邪魔とならず、使い勝手を向上することが出来た。又、印鑑のサイズに応じた印鑑ケースに収納可能となった。更に、装飾部材が強固に印材に固定されて脱落しにくくすることが出来た。又、より華やかで、よりお洒落で、アクセサリー感覚で使用できるようになった。
【考案を実施するための最良の形態】
【００１３】
以下本考案の実施の形態を図に従って詳細に説明する。印鑑１は印材２に凹部５設け、該凹部５に装飾部材６を埋め込んで構成している。印材２は押印の際に把持する把持部３と印影を生じさせる刻印部４を備えている。印材２の素材は特に限定されず、アクリル、木、象牙又は合成樹脂等が使用できる。
【００１４】
又、印材２の表面にはシールの貼着或いは印刷等によりホログラム模様を設けること、又は透明の印材を用いて印材２の内部にホログラム模様のシートを埋設することにより華やかで、神秘的な印鑑とすることが出来る。ホログラム模様を印材２の表面に設ける場合には印材２の表面全体に設けてもよいが、所望の模様形状に設けることとしてもよい。
【００１５】
把持部３の上端部３１又は／及び側面部３２には凹部５を設けている。凹部５は装飾部材６を埋め込む為のものであり、その形状は特に限定されず、そこに埋設する装飾部材６の形状に適応させて設ける。
【００１６】
装飾部材６としては、宝石、ビーズ、ガラス玉、宝石の模造品、これらをチェーン状に連結したものやチェーン、連爪等の連状のもの、溶融した合成樹脂を印材２上で固化させたもの、各種形状のペンダント、金属製、合成樹脂製、陶器製、磁器製或いは木製等の様々な形状、模様を施した立体的な造形物等を１種又は適宜組み合わせて用いることが出来る。又、これら凹部５に埋め込まれる装飾部材６に装飾部材６の部品としてのペンダントをチェーン等により揺動自在に設けることにより、アクセサリー感覚のお洒落な印鑑とすることができると共に、ペンダントの設置位置で刻印部４の方向を認識可能とすることが出来る。
【００１７】
例えば、凹部５は把持部３の側面部３２に印材２の周囲に渡って環状に設け、該凹部５に連爪等の連状の装飾部材６を環状に配設することが出来る。このような環状の凹部５は側面部３２の上部、中部、下部の適宜箇所に１乃至２以上設けることが出来、又、連状の装飾部材６は図１に示すように２連のほか、１連或いは３連以上とすることとしてもよい。更に、図示はしないが、この連状の装飾部材６にチェーンを介してペンダントを設けることも出来る。
【００１８】
又、把持部３の上端部３１には印材２の径より一回り小さく、下端部がテーパー状で横断面円形或いは多角形状の凹部５を設け、大きな宝石等の装飾部材６の下部を埋め込むことが出来る。このように大きな装飾部材６を設けても脱落の心配がないので、華やかな装飾を施すことが可能となる。
【００１９】
又、１又は複数の凹部５を所望の模様形状に設け、凹部５に装飾部材６を埋め込んで装飾部材６で所望の模様を形成することも出来る。
【００２０】
装飾部材６は凹部５に埋設し、接着剤７を用いて接着するが、装飾部材６の全体を埋め込み、印材２の表面から装飾部材６が突出しないよう構成してもよく、装飾部材６の一部のみを埋め込み、印材２の表面から装飾部材６が突出するよう構成してもよい。又、装飾部材６に突起を設け、該突起を凹部５に埋設して装飾部材６を固定することとしてもよい。
【００２１】
又、図３及び４に示す他の実施の形態では凹部５は印材２の内部へ細長い柱状の孔を穿孔して構成し、装飾部材６に設けた細長い柱状の突起６６を該凹部５に挿入する構成としている。突起６６は装飾部材６の本体と一体形成したものでもよく、装飾部材６を構成する一部材として釘状に別個構成し、装飾部材６に設けた孔を貫通し、凹部５に挿入され頭部で装飾部材６を係止する構成としてもよい。このような構成とし、凹部５と突起６６が嵌合する場合には装飾部材６は印材２に固定されるので、接着剤を用いなくてもよい。
【図面の簡単な説明】
【００２２】
【図１】本考案一実施例斜視図
【図２】本考案一実施例縦断面図
【図３】本考案他実施例斜視図
【図４】本考案他実施例縦断面図
【符号の説明】
【００２３】
１    印鑑
２    印材
３    把持部
４    刻印部
５    凹部
６    装飾部材
６６  突起
７    接着剤
【図１】
0003113893.tif 000003
【図２】
0003113893.tif 000004
【図３】
0003113893.tif 000005
【図４】
0003113893.tif 000006